(57)【要約】【課題】  送信側に応じて画像データの受信方法や受信先を設定することにより、受信側が所望する方法で画像データを受信することができる画像形成装置及び通信システムを提供する。【解決手段】  原稿上の画像を読み取り、読み取った画像に基づく画像データを生成する画像データ生成手段と、画像データの送信元の送信元情報と送信元に対応する受信方法と受信先とを対応付けて登録する登録手段と、送信元情報と画像データの送信先との入力を受け付ける入力手段と、入力手段で入力した画像データの送信先に対応し、登録手段で登録された受信方法を取得する取得手段と、入力手段で入力した送信元情報に対応した取得手段で取得された受信方法で受信先に画像データを送信する送信手段とを備えた画像形成装置、及び当該画像形成装置を備えた通信システム。【選択図】  図１
2012175618.tif 000002
【特許請求の範囲】
【請求項１】
原稿上の画像を読み取り、読み取った画像に基づく画像データを生成する画像データ生成手段と、
前記画像データの送信元の送信元情報と前記送信元に対応する受信方法と受信先とを対応付けて登録する登録手段と、
前記送信元情報と前記画像データの送信先との入力を受け付ける入力手段と、
前記入力手段で入力した前記画像データの送信先に対応し、前記登録手段で登録された前記受信方法を取得する取得手段と、
前記入力手段で入力した前記送信元情報に対応した前記取得手段で取得された前記受信方法で前記受信先に前記画像データを送信する送信手段とを備えること
を特徴とする画像形成装置。
【請求項２】
前記登録手段は、複数の前記送信元情報と複数の前記送信元に対応する受信方法、及び受信先を登録すること
を特徴とする請求項１に記載の画像形成装置。
【請求項３】
前記送信元情報の入力手段は、本人認証であること
を特徴とする請求項１、又は請求項２に記載の画像形成装置。
【請求項４】
画像データの送信元の送信元情報と前記送信元に対応する受信方法と受信先とを対応付けて登録する登録手段を備えたサーバ装置と、
原稿上の画像を読み取り、読み取った画像に基づく画像データを生成する画像データ生成手段と、
前記送信元情報と前記画像データの送信先との入力を受け付ける入力手段と、
前記入力手段で入力した前記画像データの送信先に対応し、前記登録手段で登録された前記受信方法を取得する取得手段と、
前記入力手段で入力した前記送信元情報に対応した前記取得手段で取得された前記受信方法で前記受信先に前記画像データを送信する送信手段とを備えた画像形成装置とを有すること
を特徴とする通信システム。
【請求項５】
前記登録手段は、複数の前記送信元情報と複数の前記送信元に対応する受信方法、及び受信先を登録すること
を特徴とする請求項４に記載の通信システム。
【請求項６】
前記送信元情報の入力手段は、本人認証であること
を特徴とする請求項４、又は請求項５に記載の通信システム。
【請求項７】
原稿上の画像を読み取り、読み取った画像に基づく画像データを生成する画像データ生成手段と、
前記画像データの送信元の送信元情報と前記送信元に対応する受信方法と受信先とを対応付けて登録する第１の登録手段と、
同報送信の送信先を登録する第２の登録手段と、
前記送信元情報と前記画像データの同報送信の送信先との入力を受け付ける入力手段と、
前記入力手段で入力した前記画像データの同報送信の送信先に対応し、前記第１の登録手段で登録された前記受信方法を取得する取得手段と、
前記入力手段で入力した前記送信元情報に対応した前記取得手段で取得された前記受信方法で前記受信先に前記画像データを送信する送信手段とを備えること
を特徴とする画像形成装置。
【請求項８】
前記登録手段は、複数の前記送信元情報と複数の前記送信元に対応する受信方法、及び受信先を登録すること
を特徴とする請求項７に記載の画像形成装置。
【請求項９】
前記送信元情報の入力手段は、本人認証であること
を特徴とする請求項７、又は請求項８に記載の画像形成装置。
【請求項１０】
画像データの送信元の送信元情報と前記送信元に対応する受信方法と受信先とを対応付けて登録する第１の登録手段と、
同報送信の送信先を登録する第２の登録手段とを備えたサーバ装置と、
原稿上の画像を読み取り、読み取った画像に基づく画像データを生成する画像データ生成手段と、
前記送信元情報と前記画像データの同報送信の送信先との入力を受け付ける入力手段と、
前記入力手段で入力した前記画像データの送信先に対応し、前記第１の登録手段で登録された前記受信方法を取得する取得手段と、
前記入力手段で入力した前記送信元情報に対応した前記取得手段で取得された前記受信方法で前記受信先に前記画像データを送信する送信手段とを備えた画像形成装置とを有すること
を特徴とする通信システム。
【請求項１１】
前記登録手段は、複数の前記送信元情報と複数の前記送信元に対応する受信方法、及び受信先を登録すること
を特徴とする請求項１０に記載の通信システム。
【請求項１２】
前記送信元情報の入力手段は、本人認証であること
を特徴とする請求項１０、又は請求項１１に記載の通信システム。
【発明の詳細な説明】
【技術分野】
【０００１】
本発明は、指定する宛先に画像を送信する画像形成装置及び通信システムに関するものである。
【背景技術】
【０００２】
従来の通信機能を有する画像形成装置には、画像データの受信先の宛先を短縮ダイアルやワンタッチダイアルとして登録することにより、簡単に受信先を指定して画像データを送信することができるものがあった（例えば、特許文献１参照）。
【先行技術文献】
【特許文献】
【０００３】
【特許文献１】特開２０１０−２２６３８６号公報
【発明の概要】
【発明が解決しようとする課題】
【０００４】
しかしながら、上記特許文献１記載の技術では、送信された画像データを受信する受信側の装置は、受信する方法を選択することができないため、送信側により選択された様々な方法に従って画像データを受信しなくてはならず、受信側が所望する方法で画像データを受信できない、といった問題があった。
【０００５】
本発明は、このような実情に鑑みてなされたものであり、本発明の課題は、送信側に応じて画像データの受信方法や受信先を設定することにより、受信側が所望する方法で画像データを受信することができる画像形成装置及び通信システムを提供することである。
【課題を解決するための手段】
【０００６】
上記課題を解決するために、本発明に係る画像形成装置は、原稿上の画像を読み取り、読み取った画像に基づく画像データを生成する画像データ生成手段と、前記画像データの送信元の送信元情報と前記送信元に対応する受信方法と受信先とを対応付けて登録する登録手段と、前記送信元情報と前記画像データの送信先との入力を受け付ける入力手段と、前記入力手段で入力した前記画像データの送信先に対応し、前記登録手段で登録された前記受信方法を取得する取得手段と、前記入力手段で入力した前記送信元情報に対応した前記取得手段で取得された前記受信方法で前記受信先に前記画像データを送信する送信手段とを備えることを特徴とする。
【０００７】
また、本発明に係る別の画像形成装置は、原稿上の画像を読み取り、読み取った画像に基づく画像データを生成する画像データ生成手段と、前記画像データの送信元の送信元情報と前記送信元に対応する受信方法と受信先とを対応付けて登録する第１の登録手段と、同報送信の送信先を登録する第２の登録手段と、前記送信元情報と前記画像データの同報送信の送信先との入力を受け付ける入力手段と、前記入力手段で入力した前記画像データの同報送信の送信先に対応し、前記第１の登録手段で登録された前記受信方法を取得する取得手段と、前記入力手段で入力した前記送信元情報に対応した前記取得手段で取得された前記受信方法で前記受信先に前記画像データを送信する送信手段とを備えることを特徴とする。
【０００８】
さらに、本発明に係る通信システムは、画像データの送信元の送信元情報と前記送信元に対応する受信方法と受信先とを対応付けて登録する登録手段を備えたサーバ装置と、原稿上の画像を読み取り、読み取った画像に基づく画像データを生成する画像データ生成手段と、前記送信元情報と前記画像データの送信先との入力を受け付ける入力手段と、前記入力手段で入力した前記画像データの送信先に対応し、前記登録手段で登録された前記受信方法を取得する取得手段と、前記入力手段で入力した前記送信元情報に対応した前記取得手段で取得された前記受信方法で前記受信先に前記画像データを送信する送信手段とを備えた画像形成装置とを有することを特徴とする。
【０００９】
さらにまた、本発明に係る別の通信システムは、画像データの送信元の送信元情報と前記送信元に対応する受信方法と受信先とを対応付けて登録する第１の登録手段と、同報送信の送信先を登録する第２の登録手段とを備えたサーバ装置と、原稿上の画像を読み取り、読み取った画像に基づく画像データを生成する画像データ生成手段と、前記送信元情報と前記画像データの同報送信の送信先との入力を受け付ける入力手段と、前記入力手段で入力した前記画像データの送信先に対応し、前記第１の登録手段で登録された前記受信方法を取得する取得手段と、前記入力手段で入力した前記送信元情報に対応した前記取得手段で取得された前記受信方法で前記受信先に前記画像データを送信する送信手段とを備えた画像形成装置とを有することを特徴とする。
【発明の効果】
【００１０】
本発明によれば、送信側に応じて画像データの受信方法や受信先を設定することが可能であるため、受信側が所望する方法で画像データを受信することができる。
【図面の簡単な説明】
【００１１】
【図１】通信システム構成を示す構成図である。
【図２】ＭＦＰの機能を説明するための機能ブロック図である。
【図３】画像データを送信する送信側としての送信元ユーザと、送信された画像データを受信する受信側としての受信ユーザと、を説明する図である。
【図４】受信方法と受信先とを設定する受信設定テーブルの一形態を説明する図である。
【図５】受信設定登録メニュー画面の一形態を説明する図である。
【図６】受信設定登録画面の一形態を説明する図である。
【図７】操作パネルの一形態を説明する図である。
【図８】画像データ送信完了メッセージの一形態を説明する図である。
【図９】別形態の通信システムのシステム構成を説明する構成図である。
【図１０】受信ユーザによる受信設定テーブルの登録処理を説明するためのフローチャートである。
【図１１】送信元ユーザによる画像データの送信処理を説明するためのフローチャートである。
【図１２】画像データの送信処理を詳細に説明するためのフローチャートである。
【図１３】ＭＦＰの機能を説明するための機能ブロック図である。
【図１４】同報送信の送信先設定テーブルの一形態を説明する図である。
【図１５】同報送信先設定画面の一形態を説明する図である。
【図１６】操作パネルの一形態を説明する図である。
【図１７】画像データ送信完了メッセージの一形態を説明する図である。
【図１８】同報送信の送信先設定テーブルの登録処理を説明するためのフローチャートである。
【図１９】送信元ユーザによる画像データの送信処理を説明するためのフローチャートである。
【図２０】画像データの送信処理を詳細に説明するためのフローチャートである。
【発明を実施するための形態】
【００１２】
以下、本発明の実施形態について図面を参照して説明する。なお、本発明は以下の記述に限定されるものではなく、本発明の要旨を逸脱しない範囲において適宜変更可能である。
【００１３】
［第１の実施形態］
本実施形態の説明においては、本発明が適用された画像形成装置と、各種受信側装置と、が通信回線を介して接続されて構築された通信システムについて説明する。
【００１４】
図１は、本実施形態に係る通信システム構成を示す構成図である。図１に示されるように、第１の実施形態に係る通信システムは、画像形成装置としての、ＭＦＰ１００と、各種受信側装置と、により構成される。
【００１５】
ＭＦＰ１００は、原稿上の画像を読み取ることで生成した画像データを各種受信側装置に送信することが可能な画像形成装置である。また、ＭＦＰ１００は、画像データの格納先である、ハードディスク等の記憶装置で構成されたストレージ１１を備え、ＳＭＴＰ（simple Mail Transfer Protocol）プロトコルを使用して画像データ等のデータ送受を行うメールサーバ１２と、ＦＴＰ（File Transfer Protocol）プロトコルを使用して画像データ等のデータ送受を行うＦＴＰサーバ１４と、ＣＩＦＳ（Common Internet File System）プロトコルを使用して画像データ等のデータ送受を行う共有サーバ１５と、が通信回線１を介して接続されている。なお、画像データを受信する受信側のユーザは、クライアントＰＣ１３を介してこれらのサーバに対して送信された画像データを取得することができる。また、ＭＦＰ１００には、ＦＡＸプロトコルを使用して画像データ等のデータ送受を行うＦＡＸ端末１６が公衆電話網２を介して接続されている。
【００１６】
図２は、ＭＦＰ１００の機能を説明するための機能ブロック図である。ＭＦＰ１００は、画像データ生成手段としての画像読取部１０１、及び画像処理部１０２と、送信手段としてのネットワーク通信部１０４、及びＦＡＸ通信部１０５を有する通信部１０３と、入力手段としての操作部１０６と、表示部１０７と、登録手段としての受信設定テーブル格納部２１０、及び画像データ格納部２２０を有する記憶部１０８と、取得手段として機能する制御部１０９と、を備える。
【００１７】
画像読取部１０１は、ＭＦＰ１００に設けられた図示せぬスキャナ装置であり、該スキャナ装置にセットされた原稿上の画像を読み取る。
【００１８】
画像処理部１０２は、画像読取部１０１により読み取られた画像に基づく画像データを生成する。例えば、画像処理部１０２は、画像データとしてＰＤＦ形式、ＴＩＦＦ形式の画像データを生成する。
【００１９】
通信部１０３は、ネットワーク通信部１０４、及びＦＡＸ通信部１０５を有し、ＭＦＰ１００と各種受信側装置との画像データ等のデータ送受を制御する。ネットワーク通信部１０４は、通信回線１を介して各種サーバ装置との間で画像データの送信制御を行う。また、ＦＡＸ通信部１０５は、公衆電話網２を介してＦＡＸ端末１６との間で画像データの送信制御を行う。
【００２０】
操作部１０６は、例えば、タッチパネルや操作ボタン等を有する後述する操作パネルを備え、ＭＦＰ１００へのログイン操作時におけるユーザ名の入力や、画像データの送信先を指定する際の送信先の入力といった、ユーザによる入力操作を受け付ける。
【００２１】
表示部１０７は、操作部１０６を介したユーザによるログイン操作時等に用いられる操作画面や、画像データの送信後に送信完了メッセージ等を表示する、ＬＣＤ（Liquid Crystal Display）等の表示装置を備える。
【００２２】
記憶部１０８は、後述する受信ユーザが設定する受信設定テーブル４００を格納する受信設定テーブル格納部２１０、及び画像処理部１０２により生成した画像データを格納する画像データ格納部２２０を有する、例えば、ハードディスク等の記憶装置である。なお、本実施形態においては、記憶部１０８としてストレージ１１を用いることができる。
【００２３】
制御部１０９は、例えば、ＣＰＵ（Central Processing Unit）等の演算装置を備え、上記各部を制御することで、ＭＦＰ１００全体を統括的に制御する。
【００２４】
ここで、本実施形態に係る画像データを送信する送信側としての送信元ユーザと、送信された画像データを受信する受信側としての受信ユーザと、について図３を用いて説明する。
【００２５】
本実施形態においては、例えば、送信元ユーザをＸ、Ｙ、Ｚとし、受信ユーザをＡ、Ｂ、Ｃ、Ｄとする。そして、送信元ユーザＸ、受信ユーザＡ、Ｂは開発１部チーム１に所属するものとし、送信元ユーザＹ、受信ユーザＣ、Ｄは開発１部チーム２に所属するものとし、送信元ユーザＺは、営業部に所属するものとして説明する。
【００２６】
次に、受信ユーザ自身が希望する受信方法と受信先とを設定する受信設定テーブルの一形態について図４を用いて説明する。
【００２７】
受信設定テーブルは、送信元４１０、受信方法４２０、及び受信先４３０で構成される。ここで、送信元４１０は、画像読取部１０１、画像処理部１０２を介して生成した画像データを送信する操作を行う送信元ユーザを示す。受信方法４２０は、送信された画像データを受信する際の希望の受信方法を示す。受信先４３０は、送信された画像データを受信する際の希望の受信先を示す。以下に、受信ユーザＡ、Ｂ、Ｃ、Ｄのそれぞれの受信設定テーブルについて具体的に説明する。
【００２８】
受信設定テーブル４００は、受信ユーザＡの受信設定テーブルの一例を示している。例えば、受信ユーザＡは、同じ開発１部に所属する送信ユーザＸ、Ｙから送信される画像データについては、ＣＩＦＳプロトコルの受信方法にて、共有サーバ１５の異なるフォルダに格納させ、営業部に所属する送信ユーザＺから送信される画像データについは、ＳＭＴＰプロトコルの受信方法、すなわち、メールにて受信する場合には、受信設定テーブル４００のように設定する。
【００２９】
受信設定テーブル４５０は、受信ユーザＢの受信設定テーブルの一例を示している。例えば、受信ユーザＢは、送信元によらず、送信される画像データをメールにて受信する場合には、受信設定テーブル４５０のように設定する。
【００３０】
受信設定テーブル４６０は、受信ユーザＣの受信設定テーブルの一例を示している。例えば、受信ユーザＣは、同じ開発１部に所属する送信ユーザＸ、Ｙから送信される画像データについては、ＦＴＰプロトコルの受信方法にて、ＦＴＰサーバ１４の異なるフォルダに格納させ、営業部に所属する送信ユーザＺから送信される画像データについは、ＦＡＸプロトコルの受信方法、すなわち、公衆電話網２を介したＦＡＸ端末１６にて受信する場合には、受信設定テーブル４６０のように設定する。
【００３１】
受信設定テーブル４７０は、受信ユーザＤの受信設定テーブルの一例を示している。例えば、受信ユーザＺは、同じ開発１部であるが違うチームに所属する送信ユーザＸから送信される画像データについては、ＣＩＦＳプロトコルの受信方法にて、共有サーバ１５のフォルダに格納させ、同じチームに所属する送信ユーザＹから送信される画像データについては、ＭＦＰ１００の画像データ格納部２２０に格納させ、営業部に所属する送信ユーザＺから送信される画像データについは、公衆電話網２を介したＦＡＸ端末１６にて受信する場合には、受信設定テーブル４７０のように設定する。
【００３２】
次に、本実施形態において、受信ユーザによる受信設定テーブルの登録時に表示部１０７を介して表示される受信設定登録メニュー画面、及び受信設定登録画面について説明する。
【００３３】
図５は、受信設定登録メニュー画面の一形態を説明する図である。受信設定登録メニュー画面５００は、受信ユーザ入力ボックス５１０と、検索ボタン５１１と、決定ボタン５２０と、キャンセルボタン５３０と、を備える。
【００３４】
受信ユーザ入力ボックス５１０は、受信設定登録を行う受信ユーザ名が入力される入力ボックスである。受信ユーザは、自身のユーザ名を受信ユーザ入力ボックス５１０に入力し、決定ボタン５２０を押下することにより、次に説明する受信設定登録画面が表示され、これを介して受信設定登録を行う。
【００３５】
ここで、受信ユーザは、後述する操作パネルを介して自身のユーザ名を入力してもよいが、受信ユーザ名の一部を入力後、検索ボタン５１１を押下することで、通信システム上の図示せぬアドレス帳から自己のユーザ名を検索、表示させ、自身のユーザ名に一致するユーザ名を選択する形態としてもかまわない。なお、ＭＦＰ１００へのログイン時に本人認証を要する装置においては、ログイン時に自身のユーザ名が用いられていることから、ここでの入力は不要となる場合もある。
【００３６】
キャンセルボタン５３０は、受信ユーザが受信設定登録に係る処理をキャンセルする場合に押下され、受信ユーザによるキャンセルの指示を受け付ける。
【００３７】
図６は、受信設定登録画面の一形態を説明する図である。受信設定登録画面６００は、受信ユーザ６１０と、送信元ユーザ入力ボックス６２０と、検索ボタン６２１と、受信方法選択プルダウンメニュー６３０と、受信先入力ボックス６４０と、登録ボタン６５０と、キャンセルボタン６６０と、を備える。
【００３８】
受信ユーザ６１０は、受信設定登録メニュー画面５００の受信ユーザ入力ボックス５１０で入力された受信ユーザ名を表示する。
【００３９】
送信元ユーザ入力ボックス６２０は、画像読取部１０１、画像処理部１０２を介して生成した画像データを送信する操作を行う送信元ユーザ名の設定入力を受け付ける。
【００４０】
ここで、受信ユーザは、後述する操作パネルを介して送信元ユーザ名を入力してもよいが、送信元ユーザ名の一部を入力後、検索ボタン６２１を押下することで、通信システム上の図示せぬアドレス帳から送信元ユーザ名を検索、表示させ、送信元ユーザ名に一致するユーザ名を選択する形態としてもかまわない。
【００４１】
受信方法選択プルダウンメニュー６３０は、図中矢印が押下されることにより、受信方法の一覧を表示させ、これらの中から受信ユーザが希望する受信方法の選択を受け付ける。
【００４２】
受信先入力ボックス６４０は、受信ユーザが希望する受信先の入力を受け付ける。
【００４３】
登録ボタン６５０は、上記各種設定が完了した後、受信ユーザが押下することにより、設定登録の入力を受け付ける。
【００４４】
キャンセルボタン６６０は、受信ユーザが受信設定登録に係る処理をキャンセルする場合に押下され、受信ユーザによるキャンセルの指示を受け付ける。
【００４５】
上記構成を有する受信設定登録画面を用いて、例えば、受信ユーザＡが送信元ユーザＸに対する受信設定を登録する際の受信設定登録画面を図６（ａ）に示す。図６（ａ）に示すように、受信ユーザ６１０には、受信ユーザＡである「Ａさん」が、送信元ユーザ入力ボックス６２０には、送信元ユーザである「Ｘさん」が、受信方法選択プルダウンメニュー６３０には、ＣＩＦＳプロトコルを示す「ＣＩＦＳ」が、受信先入力ボックス６４０には、共有サーバ１５に設けられた格納フォルダを示す「￥￥Ｓｅｒｖｅｒ−Ｄ１￥開発１￥チーム１」がそれぞれ設定されている。
【００４６】
同様に図６（ｂ）は、受信ユーザＡが送信元ユーザＺに対する受信設定を登録する際の受信設定登録画面を示す。図６（ｂ）に示すように、受信ユーザ６１０には、受信ユーザである「Ａさん」が、送信元ユーザ入力ボックス６２０には、送信元ユーザである「Ｚさん」が、受信方法選択プルダウンメニュー６３０には、ＳＭＴＰプロトコルを示す「ｍａｉｌ」が、受信先入力ボックス６４０には、受信ユーザＡのメールアドレスを示す「ａ＠ｏｋｉ−ｄａｔａ．ｃｏｍ」がそれぞれ設定されている。
【００４７】
次に、本実施形態に係る操作パネルの一形態について図７を用いて説明する。操作パネル７００は、ＭＦＰ１００にログインする際に自身のユーザ名の入力や、画像データの送信先を指定する際に用いられる文字、数字、記号の一覧７１０と、受信ユーザや件名を設定する際に用いられる項目７２０と、原稿上の画像読み取りの開始指示を受け付けるスタートボタン７３０と、処理のキャンセル指示を受け付けるキャンセルボタン７４０と、を備える。
【００４８】
送信元ユーザは、上記文字、数字、記号の一覧７１０を用いてＭＦＰ１００にログインする際に自身のユーザ名を入力し、プルダウンメニュー形式で表示される項目７２０から画像データの送信先ユーザを選択することができる。そして、送信元ユーザは、原稿上の画像の読み取り準備が完了次第、スタートボタン７３０を押下することで、画像の読み取りを開始させる。そして、処理をキャンセルする場合には、送信元ユーザは、キャンセルボタン７４０を押下することで処理をキャンセルさせる。
【００４９】
送信元ユーザによりスタートボタン７３０が押下されることで、原稿上の画像が読み取られ、生成した画像データが指定された送信先に送信されると、図８に示される様な画像データ送信完了メッセージ８００が表示部１０７を介して表示される。図８は、受信ユーザが「Ａさん」、受信方法が「ＣＩＦＳ」、希望する受信先が「￥￥Ｓｅｒｖｅｒ−Ｄ１￥開発１￥チーム１」の場合において、画像データが送信された後に表示部１０７を介して表示される画像データ送信完了メッセージの一例であり、送信元ユーザは、このメッセージを確認することにより、画像データの送信が完了したことを確認することができる。
【００５０】
ところで、本発明は別形態の通信システムに対しても適用可能である。図９は、本実施形態とは別形態の通信システムのシステム構成を説明する構成図である。
【００５１】
この別形態の通信システムは、本実施形態に係る受信設定テーブルを別に設けた管理サーバ２０で管理するものである。すなわち、この別形態の通信システムにおいては、本実施形態における受信設定登録メニュー画面や、受信設定登録画面等は、管理サーバ２０が運営する図示せぬＷｅｂにクライアントＰＣ１３から接続することで表示される。
【００５２】
そして、受信ユーザは、表示されたＷｅｂサーバ上で、受信設定登録メニュー画面や、受信登録画面を介して受信設定を登録することで、受信設定テーブルを管理サーバ２０に登録することができる。
【００５３】
ここで、送信元ユーザが画像データを送信する場合、ＭＦＰ１００は、操作パネル７００を介して指定された送信先ユーザの受信設定テーブルを管理サーバ２０から取得し、取得した受信設定テーブルに登録されている受信先、受信方法に従って、送信方法を判断して画像データを送信する。
【００５４】
次に、本実施形態に係る動作について図１０、図１１、及び図１２に示すフローチャートを用いて説明する。図１０は、受信ユーザによる受信設定テーブルの登録処理を説明するためのフローチャートである。図１１は、送信元ユーザによる画像データの送信処理を説明するためのフローチャートである。図１２は、画像データの送信処理を詳細に説明するためのフローチャートである。
【００５５】
まず、受信ユーザによる受信設定テーブルの登録処理について説明する。受信ユーザは、ＭＦＰ１００の操作パネル７００を操作して、受信設定登録メニュー画面５００を表示部１０７に表示させる（Ｓ１１）。
【００５６】
次に、受信ユーザにより受信ユーザ入力ボックス５１０に受信ユーザ名が入力され、決定ボタン５２０が押下されると（Ｓ１２  Ｙ）、制御部１０９は入力された受信ユーザ用の受信設定登録画面を表示部１０７に表示させる（Ｓ１３）。
【００５７】
受信設定登録画面が表示されると、受信ユーザは、Ｓ１５において、操作パネル７００を操作して送信元ユーザ入力ボックス６２０に送信元ユーザのユーザ名を入力し送信元ユーザを設定する。次に、受信ユーザは、設定した送信元ユーザから画像データを受信する場合にどのような受信方法で受信するかをＳ１６において設定する。さらに、受信ユーザは、受信した画像データの受信先を設定する（Ｓ１７）。これらの設定入力が完了し、受信ユーザにより登録ボタン６５０が押下されると（Ｓ１８）、制御部１０９は、入力を完了した受信ユーザ用の受信設定テーブルが受信設定テーブル格納部２１０に存在するか否かを確認し、存在するならば、その受信設定テーブルを更新し、存在しないならば、新規の受信設定テーブルを作成する。
【００５８】
なお、受信ユーザは、登録する送信元ユーザの人数分だけ、Ｓ１５からＳ１８に係る処理を繰り返し（Ｓ１４）、受信ユーザが受信を希望するすべての送信元ユーザに対して、画像データの受信方法や受信先が設定される。
【００５９】
上記受信設定テーブルの登録処理について、図４に示す受信設定テーブル４００の登録処理を一例に説明する。
【００６０】
まず、受信ユーザＡは、受信設定登録メニュー画面５００において、受信ユーザ入力ボックス５１０に自身のユーザ名である「Ａさん」を入力し、決定ボタン５２０を押下する。すると、表示部１０７に受信設定登録画面６００が表示される。そして、受信ユーザＡは、送信元ユーザ入力ボックス６２０に送信元ユーザのユーザ名である「Ｘさん」、受信方法選択プルダウンメニュー６３０を用い、受信方法として「ＣＩＦＳ」、受信先入力ボックス６４０に受信先として「￥￥Ｓｅｒｖｅｒ−Ｄ１￥開発１￥チーム１」をそれぞれ設定し、登録ボタン６５０を押下する。同様に、受信ユーザは、送信元ユーザのユーザ名として「Ｚさん」、受信方法として「Ｍａｉｌ」、受信先として「ａ＠ｏｋｉ−ｄａｔａ．ｃｏｍ」をそれぞれ設定し、登録ボタン６５０を押下する。なお、ここでの説明においては、操作パネル７００を用いて受信設定テーブルを登録する一例について説明したが、これ以外にも、例えば、通信回線１を経由し、ＭＦＰ１００が運用するＷｅｂを介して受信設定テーブルを登録することも可能であるし、受信設定テーブルの登録処理に特化したユーティリティを用いて受信設定テーブルを登録することも可能である。
【００６１】
次に、送信元ユーザによる画像データの送信処理について説明する。まず、送信元ユーザによりＭＦＰ１００の操作パネル７００を介して、ユーザ名やパスワードが入力されてログインがなされると（Ｓ２１  Ｙ）、制御部１０９は、ログインしたユーザを送信元ユーザとして識別する。
【００６２】
次に、送信元ユーザは、ＭＦＰ１００の画像読取部１０１に原稿を設定し（Ｓ２２）、操作パネル７００を操作して、送信先ユーザを設定する（Ｓ２３）。
【００６３】
そして、送信元ユーザは、スタートボタン７３０を押下して原稿上の画像の読み取り、画像データの送信を指示する（Ｓ２４）。画像データの送信指示を受けた制御部１０９は、画像データの送信処理を実行し（Ｓ２５）、画像データ送信完了メッセージ８００を表示部１０７を介して表示させる。
【００６４】
画像データ送信完了メッセージ８００の表示を確認した送信元ユーザは、ＭＦＰ１００からログアウトし、一連の処理を終了する（Ｓ２６）。
【００６５】
上記送信元ユーザによる画像データの送信処理について、送信元ユーザＸから受信ユーザＡへ画像データを送信する場合を例にして説明する。
【００６６】
まず、送信元ユーザＸがＭＦＰ１００にログインする。次に、送信元ユーザＸは、ＭＦＰ１００の画像読取部１０１に原稿を設定し、操作パネル７００を操作して、受信ユーザＡである「Ａさん」を設定する。設定後、送信元ユーザＸは、スタートボタン７３０を押下して画像データの送信をＭＦＰ１００に指示する。
【００６７】
画像データの送信が完了すると、画像データ送信完了メッセージ８００が表示部１０７を介して表示されるため、送信元ユーザＸは、「Ａさん」に対して「ＣＩＦＳ」の受信方法で、「￥￥Ｓｅｒｖｅｒ−Ｄ１￥開発１￥チーム１」の受信先に画像データが送信された旨を確認することができる。
【００６８】
最後に、画像データの送信処理を詳細に説明する。送信元ユーザによりスタートボタン７３０が押下されると、制御部１０９は、画像読取部１０１に対して原稿上の画像の読取指示を出力するとともに（Ｓ３１）、画像処理部１０２に対して読み取られた画像を画像データに変換するよう指示を与える（Ｓ３２）。
【００６９】
次に、制御部１０９は、図１１のＳ２３にて設定された送信先ユーザに対応する受信設定テーブル４００を受信設定テーブル格納部２１０から取得する（Ｓ３３）。そして、制御部１０９は、ログインしている送信元ユーザに対応する画像データの受信方法を取得するとともに（Ｓ３４）、同送信元ユーザに対応する受信先を取得する（Ｓ３５）。
【００７０】
次に、制御部１０９は、Ｓ３６において、取得した受信方法にしたがって画像データの送信方法を判断する。ここで、画像データの送信方法がＣＩＦＳ、ＦＴＰ、Ｍａｉｌの何れかである場合（Ｓ３６  ＣＩＦＳ、ＦＴＰ、Ｍａｉｌ）、制御部１０９は、ネットワーク通信部１０４を経由して画像データを送信させる（Ｓ３７）。一方、画像データの送信方法がＦＡＸである場合（Ｓ３６  ＦＡＸ）、制御部１０９は、ＦＡＸ通信部１０５を経由して画像データを送信させる（Ｓ３８）。また、画像データの送信方法がローカルである場合（Ｓ３６  ローカル）、制御部１０９は、ＭＦＰ１００が備えるストレージ１１内の画像データ格納部２２０に画像データを格納させる（Ｓ３９）。
【００７１】
画像データの送信処理、又は格納処理が完了すると、制御部１０９は、画像データ送信完了メッセージ８００を表示部１０７を介して表示させ（Ｓ４０）、一連の処理は終了する。
【００７２】
上記画像データの送信処理について、送信元ユーザＸから受信ユーザＡへ画像データを送信する場合を例にして説明する。
【００７３】
まず、制御部１０９は、画像読取部１０１、及び画像処理部１０２を用いて画像データを生成させる。次に、制御部１０９は、画像データの受信ユーザである受信ユーザＡに対応する受信設定テーブル４００を取得し、ログインしている送信元ユーザＸに対応する受信方法「ＣＩＦＳ」、受信先「￥￥Ｓｅｒｖｅｒ−Ｄ１￥開発１￥チーム１」を取得する。
【００７４】
そして、制御部１０９は、受信先「￥￥Ｓｅｒｖｅｒ−Ｄ１￥開発１￥チーム１」に対して受信方法（送信方法）「ＣＩＦＳ」で画像データを送信させる。送信完了後、制御部１０９は、送信元ユーザＸに対して、受信ユーザＡである「Ａさん」に「ＣＩＦＳ」の受信方法で、「￥￥Ｓｅｒｖｅｒ−Ｄ１￥開発１￥チーム１」の受信先に画像データが送信された旨を示す画像データ送信完了メッセージ８００を表示させる。
【００７５】
以上のように、第１の実施形態によれば、画像データを受信する受信側のユーザが送信側のユーザに応じて画像データの受信方法や受信先を設定することができるため、受信側のユーザが希望する方法で画像データを取得することができる。
【００７６】
［第２の実施形態］
第２の実施形態に係る通信システム構成は、図１に示すＭＦＰ１００が、図１３に示すようにＭＦＰ１２０に置き換わる以外は、第１の実施形態と同じ構成である。したがって、本実施形態の説明においては、第１の実施形態と同一な構成並びに動作については、同じ符号を付してその説明を省略する。
【００７７】
図１３は、本実施形態に係るＭＦＰ１２０の機能を説明するための機能ブロック図である。ＭＦＰ１２０は、画像データ生成手段としての画像読取部１０１、及び画像処理部１０２と、送信手段としてのネットワーク通信部１０４、及びＦＡＸ通信部１０５を有する通信部１０３と、入力手段としての操作部１０６と、表示部１０７と、第１の登録手段としての受信設定テーブル格納部２１０、及び画像データ格納部２２０に加え、第２の記憶手段としての同報送信の送信先設定テーブルを格納する同報送信先格納部２３０を有する記憶部１１０と、制御部１０９と、を備える。
【００７８】
図１４は、本実施形態に係る同報送信の送信先設定テーブルの一形態を説明する図である。同報送信の送信先設定テーブル９００は、同報送信のための送信先を設定するテーブルである。同報送信の送信先設定テーブル９００は、グループ名９１０、及び受信ユーザ９２０で構成される。
【００７９】
グループ名９１０は、任意の名称であり、画像データを送信する際に指定する名称である。受信ユーザ９２０は、同報送信のグループに属する受信ユーザ名を示す。なお、同報送信とは、画像データを送信する際にグループ名を指定して送信することにより、指定されたグループに登録された全ての受信ユーザに対して画像データを送信することである。
【００８０】
図１４に示す一形態においては、同報送信の送信先設定テーブル９００には、プロジェクトＡという名称のグループに受信ユーザＡ、Ｂ、Ｃ、Ｄが登録されており、プロジェクトＢという名称のグループに受信ユーザＡ、Ｃが登録されている。
【００８１】
次に、同報送信の送信先設定テーブルの登録に係る登録画面について説明する。
【００８２】
図１５は、同報送信の送信先設定テーブルの登録に係る同報送信先設定画面の一形態を説明する図である。同報送信先設定画面１０００は、グループ名入力ボックス１０１０と、受信ユーザ選択プルダウンメニュー１０２０と、検索ボタン１０２１と、追加ボタン１０３０と、削除ボタン１０４０と、登録ボタン１０５０と、キャンセルボタン１０６０と、を備える。
【００８３】
グループ名入力ボックス１０１０は、管理者又は送信元ユーザにより同報送信のグループ名が入力される入力ボックスである。管理者又は送信元ユーザは、同報送信先のグループ名称であるグループ名を入力し、そのグループに登録したい受信ユーザを受信ユーザ選択プルダウンメニュー１０２０を用いて設定する。
【００８４】
ここで、管理者又は送信元ユーザは、後述する操作パネルを介して自身のユーザ名を入力してもよいが、受信ユーザ名の一部を入力後、検索ボタン１０２１を押下することで、通信システム上の図示せぬアドレス帳から受信ユーザ名を検索、表示させ、受信ユーザ名に一致するユーザ名を選択する形態としてもかまわない。
【００８５】
追加ボタン１０３０は、設定した受信ユーザをグループに追加する際に押下され、管理者又は送信元ユーザは、グループに登録したい受信ユーザの数だけ、上記設定と、追加ボタン１０３０の押下を繰り返す。
【００８６】
削除ボタン１０４０は、グループに追加されている受信ユーザをそのグループから削除する場合に押下され、管理者又は送信元ユーザによる受信ユーザの削除指示を受け付ける。
【００８７】
登録ボタン１０５０は、グループに追加される全ての受信ユーザの追加処理が完了した際に押下され、これらの情報は、同報送信先設定格納部２３０に同報送信の送信先設定テーブル９００として格納される。
【００８８】
キャンセルボタン１０６０は、管理者又は送信元ユーザが受信ユーザのグループ登録に係る処理をキャンセルする場合に押下され、管理者又は送信元ユーザによるキャンセルの指示を受け付ける。
【００８９】
次に、本実施形態に係る操作パネルの一形態について図１６を用いて説明する。操作パネル７５０は、ＭＦＰ１２０にログインする際に自身のユーザ名の入力や、画像データの同報送信の送信先を指定する際に用いられる文字、数字、記号の一覧７１０と、同報送信先や件名を設定する際に用いられる項目７２１と、原稿上の画像読み取りの開始指示を受け付けるスタートボタン７３０と、処理のキャンセル指示を受け付けるキャンセルボタン７４０と、を備える。
【００９０】
送信元ユーザは、上記文字、数字、記号の一覧７１０を用いてＭＦＰ１００にログインする際に自身のユーザ名を入力し、プルダウンメニュー形式で表示される項目７２１から画像データの同報送信の送信先を選択することができる。そして、送信元ユーザは、原稿上の画像の読み取り準備が完了次第、スタートボタン７３０を押下することで、画像の読み取りを開始させる。そして、処理をキャンセルする場合には、送信元ユーザは、キャンセルボタン７４０を押下することで処理をキャンセルさせる。
【００９１】
送信元ユーザによりスタートボタン７３０が押下されることで、原稿上の画像が読み取られ、生成した画像データが指定された同報送信の送信先に送信されると、図１７に示される様な画像データ送信完了メッセージ１１００が表示部１０７を介して表示される。図１７は、受信ユーザが「Ａさん」、受信方法が「ＣＩＦＳ」、希望する受信先が「￥￥Ｓｅｒｖｅｒ−Ｄ１￥開発１￥チーム１」、受信ユーザが「Ｂさん」、受信方法が「ｍａｉｌ」、希望する受信先が「ｂ＠ｏｋｉ−ｄａｔａ．ｃｏｍ」、受信ユーザが「Ｃさん」、受信方法が「ＦＴＰ」、希望する受信先が「／／１９２．１６８．１００．１００／開発１／チーム２」、受信ユーザが「Ｄさん」、受信方法が「ローカル」、希望する受信先が「／開発１／チーム２」に対して画像データが同報送信された場合において、画像データが送信された後に表示部１０７を介して表示される画像データ送信完了メッセージの一例であり、送信元ユーザは、このメッセージを確認することにより、画像データの送信が完了したことを確認することができる。
【００９２】
ところで、本発明は第１の実施形態において示した図９と同様に、別形態の通信システムに対しても適用可能である。すなわち、本実施形態に係る別形態の通信システムは、図９に示すＭＦＰ１００が、図１３に示すようにＭＦＰ１２０に置き換わる以外は、第１の実施形態で説明した別形態の通信システムと同じ構成である。
【００９３】
この別形態の通信システムは、本実施形態に係る受信設定テーブルと、同報送信の送信先設定テーブルと、を別に設けた管理サーバ２０で管理するものである。すなわち、この別形態の通信システムにおいては、本実施形態における受信設定登録メニュー画面や、受信設定登録画面、同報送信先設定画面等は、管理サーバ２０が運営する図示せぬＷｅｂにクライアントＰＣ１３から接続することで表示される。
【００９４】
そして、受信ユーザは、表示されたＷｅｂサーバ上で、受信設定登録メニュー画面や、受信登録画面を介して受信設定を登録することで、受信設定テーブルを管理サーバ２０に登録することができる。また、管理者又は送信元ユーザは、表示されたＷｅｂサーバ上で、同報送信先設定画面を介して同報送信設定を登録することで、同報送信の送信先設定テーブルを管理サーバ２０に登録することができる。
【００９５】
ここで、送信元ユーザが画像データを送信する場合、ＭＦＰ１００は、操作パネル７５０を介して指定された同報送信の受信ユーザに対応した受信設定テーブルを管理サーバ２０から取得し、取得した受信設定テーブルに登録されている受信先、受信方法に従って、送信方法を判断して画像データを送信する。
【００９６】
次に、本実施形態に係る動作について図１８、図１９、及び図２０に示すフローチャートを用いて説明する。図１８は、同報送信の送信先設定テーブルの登録処理を説明するためのフローチャートである。図１９は、送信元ユーザによる画像データの送信処理を説明するためのフローチャートである。図２０は、画像データの送信処理を詳細に説明するためのフローチャートである。なお、受信ユーザによる受信設定テーブルの登録処理についは、第１の実施形態と同様に行うことができるため、ここでの説明は省略する。
【００９７】
まず、管理者又は送信元ユーザによる同報送信の送信先設定テーブルの登録処理について説明する。管理者又は送信元ユーザは、ＭＦＰ１２０の操作パネル７５０を操作して、同報送信設定画面１０００を表示部１０７に表示させる（Ｓ４１）。
【００９８】
次に、同報送信設定画面１０００が表示されると、管理者又は送信元ユーザは、Ｓ４２において、操作パネル７５０を操作してグループ名入力ボックス１０１０にグループ名を入力して設定する。次に、管理者又は送信元ユーザは、グループに登録したい受信ユーザを受信ユーザ選択プルダウンメニュー１０２０を用いて設定し（Ｓ４４）、追加ボタン１０３０を押下する（Ｓ４５）。さらに、グループに追加したい受信ユーザがいる場合には、管理者又は送信元ユーザは、Ｓ４４、Ｓ４５の処理を繰り返し、受信ユーザを追加する（Ｓ４３）。そして、グループに追加される全ての受信ユーザの追加処理が完了し、管理者又は送信元ユーザにより登録ボタン１０５０が押下されると（Ｓ４６）、制御部１０９は、同報送信の送信先設定テーブル９００を同報送信先格納部２３０に格納させる。なお、ここでの説明においては、操作パネル７５０を用いて同報送信の送信先設定テーブルを登録する一例について説明したが、これ以外にも、例えば、通信回線１を経由し、ＭＦＰ１２０が運用するＷｅｂを介して同報送信の送信先設定テーブルを登録することも可能であるし、同報送信の送信先設定テーブルの登録処理に特化したユーティリティを用いて同報送信の送信先設定テーブルを登録することも可能である。
【００９９】
次に、送信元ユーザによる画像データの送信処理について説明する。まず、送信元ユーザによりＭＦＰ１２０の操作パネル７５０を介して、ユーザ名やパスワードが入力されてログインがなされると（Ｓ５１  Ｙ）、制御部１０９は、ログインしたユーザを送信元ユーザとして識別する。
【０１００】
次に、送信元ユーザは、原稿をＭＦＰ１２０の画像読取部１０１に設定し（Ｓ５２）、操作パネル７５０を操作して、同報送信先を設定する（Ｓ２３）。
【０１０１】
そして、送信元ユーザは、スタートボタン７３０を押下して原稿上の画像の読み取り、画像データの送信を指示する（Ｓ５４）。画像データの送信指示を受けた制御部１０９は、画像データの送信処理を実行し（Ｓ５５）、画像データ送信完了メッセージ１１００を表示部１０７を介して表示させる。
【０１０２】
画像データ送信完了メッセージ１１００の表示を確認した送信元ユーザは、ＭＦＰ１２０からログアウトし、一連の処理を終了する（Ｓ５６）。
【０１０３】
上記送信元ユーザによる画像データの送信処理について、送信元ユーザＹからプロジェクトＡへ画像データを送信する場合を例にして説明する。
【０１０４】
まず、送信元ユーザＹがＭＦＰ１２０にログインする。次に、送信元ユーザＹは、ＭＦＰ１２０の画像読取部１０１に原稿を設定し、操作パネル７５０を操作して、同報送信先である「プロジェクトＡ」を設定する。設定後、送信元ユーザＹは、スタートボタン７３０を押下して画像データの送信をＭＦＰ１２０に指示する。
【０１０５】
画像データの送信が完了すると、画像データ送信完了メッセージ１１００が表示部１０７を介して表示されるため、送信元ユーザＹは受信ユーザが「Ａさん」、受信方法が「ＣＩＦＳ」、希望する受信先が「￥￥Ｓｅｒｖｅｒ−Ｄ１￥開発１￥チーム１」、受信ユーザが「Ｂさん」、受信方法が「ｍａｉｌ」、希望する受信先が「ｂ＠ｏｋｉ−ｄａｔａ．ｃｏｍ」、受信ユーザが「Ｃさん」、受信方法が「ＦＴＰ」、希望する受信先が「／／１９２．１６８．１００．１００／開発１／チーム２」、受信ユーザが「Ｄさん」、受信方法が「ローカル」、希望する受信先が「／開発１／チーム２」に対して画像データが同報送信されたことを確認することができる。
【０１０６】
最後に、画像データの送信処理を詳細に説明する。送信元ユーザによりスタートボタン７３０が押下されると、制御部１０９は、画像読取部１０１に対して原稿上の画像の読取指示を出力するとともに（Ｓ６１）、画像処理部１０２に対して読み取られた画像を画像データに変換するよう指示を与える（Ｓ６２）。
【０１０７】
次に、制御部１０９は、指定された同報送信先の送信先設定テーブル９００を同報送信格納部２３０から取得し、受信ユーザ９２０を取得する（Ｓ６４）。
【０１０８】
次に、制御部１０９は、Ｓ６４で取得した受信ユーザに対応する受信設定テーブル４００を受信設定テーブル格納部２１０から取得する（Ｓ６５）。そして、制御部１０９は、ログインしている送信元ユーザに対応する画像データの受信方法を取得するとともに（Ｓ６６）、同送信元ユーザに対応する受信先を取得する（Ｓ６７）。
【０１０９】
次に、制御部１０９は、Ｓ６８において、取得した受信方法にしたがって画像データの送信方法を判断する。ここで、画像データの送信方法がＣＩＦＳ、ＦＴＰ、Ｍａｉｌの何れかである場合（Ｓ６８  ＣＩＦＳ、ＦＴＰ、Ｍａｉｌ）、制御部１０９は、ネットワーク通信部１０４を経由して画像データを送信させる（Ｓ６９）。一方、画像データの送信方法がＦＡＸである場合（Ｓ６８  ＦＡＸ）、制御部１０９は、ＦＡＸ通信部１０５を経由して画像データを送信させる（Ｓ７０）。また、画像データの送信方法がローカルである場合（Ｓ６８  ローカル）、制御部１０９は、ＭＦＰ１２０が備えるストレージ１１内の画像データ格納部２２０に画像データを格納させる（Ｓ７１）。
【０１１０】
指定された送信先設定テーブル９００の受信ユーザ９２０に他の受信ユーザが含まれている場合には、制御部１０９はＳ６４からＳ６９〜Ｓ７１の処理を繰り返し、登録されている全ての受信ユーザに対して画像データの送信、又は格納を行う。
【０１１１】
画像データの送信処理、又は格納処理が完了すると、制御部１０９は、画像データ送信完了メッセージ１１００を表示部１０７を介して表示させ（Ｓ７２）、一連の処理は終了する。
【０１１２】
上記画像データの送信処理について、送信元ユーザＹからプロジェクトＡへ画像データを送信する場合を例にして説明する。
【０１１３】
まず、制御部１０９は、画像読取部１０１、及び画像処理部１０２を用いて画像データを生成する。次に、制御部１０９は、指定された同報送信先であるプロジェクトＡの送信先設定テーブル９００を取得し、受信ユーザ９２０に登録されている受信ユーザＡを取得する。そして、制御部１０９は受信ユーザＡに対応する受信設定テーブルを取得し、ログインしている送信元ユーザＹに対応する受信方法「ＣＩＦＳ」、受信先「￥￥Ｓｅｒｖｅｒ−Ｄ１￥開発１」を取得する。
【０１１４】
そして、制御部１０９は、受信先「￥￥Ｓｅｒｖｅｒ−Ｄ１￥開発１」に対して受信方法（送信方法）「ＣＩＦＳ」で画像データを送信させる。
【０１１５】
続けて制御部１０９は、受信ユーザ９２０に登録されている受信ユーザＢを取得する。そして、制御部１０９は受信ユーザＢに対応する受信設定テーブルを取得し、ログインしている送信元ユーザＹに対応する受信方法「Ｍａｉｌ」、受信先「ｂ＠ｏｋｉ−ｄａｔａ．ｃｏｍ」を取得する。
【０１１６】
そして、制御部１０９は、受信先「ｂ＠ｏｋｉ−ｄａｔａ．ｃｏｍ」に対して受信方法（送信方法）「Ｍａｉｌ」で画像データを送信させる。
【０１１７】
続けて制御部１０９は、受信ユーザ９２０に登録されている受信ユーザＣを取得する。そして、制御部１０９は受信ユーザＣに対応する受信設定テーブルを取得し、ログインしている送信元ユーザＹに対応する受信方法「ＦＴＰ」、受信先「／／１９２．１６８．１００．１００／開発１／チーム２」を取得する。
【０１１８】
そして、制御部１０９は、受信先「／／１９２．１６８．１００．１００／開発１／チーム２」に対して受信方法（送信方法）「ＦＴＰ」で画像データを送信させる。
【０１１９】
続けて制御部１０９は、受信ユーザ９２０に登録されている受信ユーザＤを取得する。そして、制御部１０９は受信ユーザＤに対応する受信設定テーブルを取得し、ログインしている送信元ユーザＹに対応する受信方法「ローカル」、受信先「／開発１／チーム２」を取得する。
【０１２０】
そして、制御部１０９は、受信先「／開発１／チーム２」に対して画像データを格納させる。送信完了後、制御部１０９は、送信元ユーザＹに対して、プロジェクトＡに登録されている全ての受信ユーザに画像データの送信、又は格納が完了した旨を表す画像データ送信完了メッセージ１１００を表示部１０７に表示させる。
【０１２１】
以上のように、第２の実施形態によれば、送信側のユーザが画像データを同報送信する場合において、画像データを受信する受信側のユーザが送信側のユーザに応じて画像データの受信方法や受信先を設定することができるため、受信側のユーザが希望する方法で画像データを取得することができる。
【０１２２】
本発明の実施形態において、画像形成装置としてＭＦＰを用いて説明したが、本発明はこれに限定されず、複数の送信手段を有し、画像読取部、及び画像処理部を備えたスキャナ装置であれば、適用可能である。
【符号の説明】
【０１２３】
１  通信回線
２  公衆電話網
１１  ストレージ
１２  メールサーバ
１３  クライアントＰＣ
１４  ＦＴＰサーバ
１５  共有サーバ
１６  ＦＡＸ端末
１００、１２０  ＭＦＰ
１０１  画像読取部
１０２  画像処理部
１０３  通信部
１０４  ネットワーク通信部
１０５  ＦＡＸ通信部
１０６  操作部
１０７  表示部
１０８、１１０  記憶部
１０９  制御部
２１０  受信設定テーブル格納部
２２０  画像データ格納部
２３０  同報送信先格納部
【図１】
2012175618.tif 000003
【図２】
2012175618.tif 000004
【図３】
2012175618.tif 000005
【図４】
2012175618.tif 000006
【図５】
2012175618.tif 000007
【図６】
2012175618.tif 000008
【図７】
2012175618.tif 000009
【図８】
2012175618.tif 000010
【図９】
2012175618.tif 000011
【図１０】
2012175618.tif 000012
【図１１】
2012175618.tif 000013
【図１２】
2012175618.tif 000014
【図１３】
2012175618.tif 000015
【図１４】
2012175618.tif 000016
【図１５】
2012175618.tif 000017
【図１６】
2012175618.tif 000018
【図１７】
2012175618.tif 000019
【図１８】
2012175618.tif 000020
【図１９】
2012175618.tif 000021
【図２０】
2012175618.tif 000022